(57)【要約】  ウェアラブル電子デバイスは、第１部材と第２部材とを含む。第２部材は、第１ＲＦ減衰性部分と、第２導電性部分とを含む。第１部材と、少なくとも第２部材の第２部分との間にはギャップが存在する。第１部材には、１または複数のＢＬＵＥＴＯＯＴＨ（登録商標）、ＢＬＵＥＴＯＯＴＨ（登録商標）ローエネルギー、および／またはＩＥＥＥ８０２．１１トランシーバ等の１または複数の送信機／受信機が搭載されていてよい。１または複数の送信機／受信機は、第２部材の第２部分に伝導接続する。１または複数のトランシーバにより生成されたＲＦ信号は、第２部材の第２部分から発信される。
2019525503.tif 000002
【特許請求の範囲】
【請求項１】
ユーザの身体に近接して着用される第１部材と、操作可能に接続し電気分離した第２部材とを少なくとも有するマルチピース筐体であって、前記第２部材は少なくとも、無線周波数エネルギーを減衰させる材料を含む第１部分と、導電性材料を含む第２部分とを含み、ギャップが、前記第１部材を少なくとも前記第２部材の前記第２部分から物理的に隔離する、マルチピース筐体と、
前記第１部材の中に少なくとも部分的に配された送信機と、
前記送信機を前記第２部材の前記第２部分に伝導接続する少なくとも１つの伝導性部材と
を備える、ウェアラブル電子デバイス。
【請求項２】
前記無線周波数エネルギーを減衰させる材料は少なくとも１層の伝導性材料を含む、請求項１に記載のウェアラブル電子デバイス。
【請求項３】
前記少なくとも１層の伝導性材料は、ディスプレイタッチモジュール（ＤＴＭ）の少なくとも一部分を構成する、請求項２に記載のウェアラブル電子デバイス。
【請求項４】
前記少なくとも１つの伝導性部材は、
前記第１部材と前記第２部材との間に配され、前記第２部材の前記第２部分に導電接続した伝導性遮蔽部材と、
前記伝導性遮蔽部材を前記送信機に伝導接続する導電性部材と
を有する、請求項３に記載のウェアラブル電子デバイス。
【請求項５】
前記伝導性遮蔽部材は、前記ディスプレイタッチモジュールと前記送信機との間に配される、請求項４に記載のウェアラブル電子デバイス。
【請求項６】
近距離無線通信アンテナ（ＮＦＣアンテナ）をさらに備え、
前記伝導性遮蔽部材は、前記ＮＦＣアンテナと前記送信機との間に配される、請求項５に記載のウェアラブル電子デバイス。
【請求項７】
前記送信機は少なくとも１つの周波数ダイプレクサを有し、
前記第２部材の前記第２部分は、マルチバンドアンテナを含む、
請求項４に記載のウェアラブル電子デバイス。
【請求項８】
前記マルチピース筐体は腕時計を含み、
前記第１部材は前記腕時計の外部カバーの少なくとも一部分を含み、
前記第２部材は前記腕時計のベゼルの少なくとも一部分を含む、
請求項１から７のいずれか一項に記載のウェアラブル電子デバイス。
【請求項９】
前記第１部材を前記第２部材の前記第２部分から物理的に隔離する前記ギャップは、約０．５ミリメートル（ｍｍ）から約１ｍｍの寸法を有する物理的なギャップを含む、請求項１から７のいずれか一項に記載のウェアラブル電子デバイス。
【請求項１０】
前記送信機はトランシーバを含み、
前記第２部材の前記第２部分は、全地球ナビゲーション衛星システム（ＧＮＳＳ）トランシーバと、ＢＬＵＥＴＯＯＴＨ（登録商標）トランシーバと、ＩＥＥＥ  ８０２．１１準拠（Ｗｉ−Ｆｉ）のトランシーバとのうち少なくとも１つでの利用に合わせて調整されたシングルバンドアンテナを含む、
請求項１から６のいずれか一項に記載のウェアラブル電子デバイス。
【請求項１１】
送信機を、ウェアラブルマルチピース電子デバイス筐体の第１部材の中に少なくとも部分的に配する工程と、
前記ウェアラブルマルチピース電子デバイス筐体の第２部材を前記第１部材に操作可能に接続する工程であって、前記第２部材は前記第１部材から電気分離し、前記第２部材は少なくとも、無線周波数エネルギーを減衰させる材料を含む第１部分と、導電性材料を含む第２部分とを含む、工程と、
ギャップを介して少なくとも前記第２部材の前記第２部分を前記第１部材から隔離する工程と、
少なくとも１つの伝導性部材を介して前記第２部材の前記第２部分を前記送信機に伝導接続する工程と
を備える、ウェアラブル電子デバイスを用いた無線周波数（ＲＦ）信号伝送方法。
【請求項１２】
前記ウェアラブルマルチピース電子デバイス筐体の第２部材を前記第１部材に操作可能に接続する前記工程であって、前記第２部材は少なくとも、ＲＦエネルギーを減衰させる材料を含む第１部分を含む、前記工程は、前記ウェアラブルマルチピース電子デバイス筐体の第２部材を前記第１部材に操作可能に接続する工程であって、前記第２部材の前記第１部分は、前記ＲＦエネルギーを減衰させる少なくとも１層の伝導性材料を含む、工程を有する、請求項１１に記載のＲＦ信号伝送方法。
【請求項１３】
前記ウェアラブルマルチピース電子デバイス筐体の第２部材を前記第１部材に操作可能に接続する前記工程であって、前記第２部材の前記第１部分は、前記ＲＦエネルギーを減衰させる少なくとも１層の伝導性材料を含む、前記工程は、前記ウェアラブルマルチピース電子デバイス筐体の第２部材を前記第１部材に操作可能に接続する工程であって、前記第２部材の前記第１部分は少なくとも１つのディスプレイタッチモジュール（ＤＴＭ）を含む、請求項１２に記載のＲＦ信号伝送方法。
【請求項１４】
少なくとも１つの伝導性部材を介して前記第２部材の前記第２部分を前記送信機に伝導接続する前記工程は、前記第１部材と前記第２部材との間に配された伝導性遮蔽部材を介して前記第２部材の前記第２部分を前記送信機に伝導接続する工程であって、前記伝導性遮蔽部材は、前記第２部材の前記第２部分に導電接続し、導電性部材が前記伝導性遮蔽部材を前記送信機に伝導接続する、工程を有する、請求項１３に記載のＲＦ信号伝送方法。
【請求項１５】
前記第１部材と前記第２部材との間に配された伝導性遮蔽部材を介して前記第２部材の前記第２部分を前記送信機に伝導接続する前記工程は、前記ディスプレイタッチモジュールと前記送信機との間に配された伝導性遮蔽部材を介して前記第２部材の前記第２部分を前記送信機に伝導接続する工程を含む、
請求項１４に記載のＲＦ信号伝送方法。
【請求項１６】
前記ディスプレイタッチモジュールと前記伝導性遮蔽部材との間に近距離無線通信（ＮＦＣ）アンテナを配する工程をさらに備える、請求項１５に記載のＲＦ信号伝送方法。
【請求項１７】
送信機を、ウェアラブルマルチピース電子デバイス筐体の第１部材の中に少なくとも部分的に配する前記工程は、少なくとも１つの周波数ダイプレクサを含む送信機を、前記送信機を収納する前記ウェアラブルマルチピース電子デバイス筐体の前記第１部材の中に少なくとも部分的に配する工程を有する、請求項１４に記載のＲＦ信号伝送方法。
【請求項１８】
送信機を、ウェアラブルマルチピース電子デバイス筐体の第１部材の中に少なくとも部分的に配する前記工程は、前記送信機を、腕時計の前記第１部材の中に少なくとも部分的に配する工程であって、前記第１部材は、前記腕時計の外部カバーの少なくとも一部分を含み、前記第２部材は、前記腕時計のベゼルの少なくとも一部分を含む、工程を有する、請求項１１から１７のいずれか一項に記載のＲＦ信号伝送方法。
【請求項１９】
ギャップを介して少なくとも前記第２部材の前記第２部分を前記第１部材から隔離する前記工程は、ギャップを介して少なくとも前記第２部材の前記第２部分を前記第１部材から隔離する工程であって、前記第１部材と前記第２部材の前記第２部分との間を前記ギャップが隔離する距離は、約０．５ミリメートル（ｍｍ）から約１ｍｍである、工程を有してよい、請求項１１から１７のいずれか一項に記載のＲＦ信号伝送方法。
【請求項２０】
送信機を、ウェアラブルマルチピース電子デバイス筐体の第１部材の中に少なくとも部分的に配する前記工程は、トランシーバを、前記ウェアラブルマルチピース電子デバイス筐体の前記第１部材の中に少なくとも部分的に配する工程を有し、
前記ウェアラブルマルチピース電子デバイス筐体の前記第２部材を前記第１部材に操作可能に接続する前記工程であって、前記第２部材は導電性材料を含む第２部分を含む、前記工程は、前記ウェアラブルマルチピース電子デバイス筐体の前記第２部材を前記第１部材に操作可能に接続する工程であって、前記第２部材は、全地球ナビゲーション衛星システム（ＧＮＳＳ）トランシーバと、ＢＬＵＥＴＯＯＴＨ（登録商標）トランシーバと、ＩＥＥＥ  ８０２．１１準拠（Ｗｉ−Ｆｉ）のトランシーバとのうち少なくとも１つでの利用に合わせて調整されたシングルバンドアンテナを含む第２部分を含む、工程を有する、
請求項１１から１６のいずれか一項に記載のＲＦ信号伝送方法。
【請求項２１】
送信機を、ウェアラブルマルチピース電子デバイス筐体の第１部材の中に少なくとも部分的に配する手段と、
前記ウェアラブルマルチピース電子デバイス筐体の第２部材を前記第１部材に操作可能に接続する手段であって、前記第２部材は前記第１部材から電気分離し、前記第２部材は少なくとも、無線周波数エネルギーを減衰させる材料を含む第１部分と、導電性材料を含む第２部分とを含む、手段と、
ギャップを介して少なくとも前記第２部材の前記第２部分を前記第１部材から隔離する手段と、
少なくとも１つの伝導性部材を介して前記第２部材の前記第２部分を前記送信機に伝導接続する手段と
を備える、ウェアラブル電子デバイスを用いた無線周波数（ＲＦ）信号伝送システム。
【請求項２２】
前記ウェアラブルマルチピース電子デバイス筐体の第２部材を前記第１部材に操作可能に接続する前記手段であって、前記第２部材は少なくとも、ＲＦエネルギーを減衰させる材料を含む第１部分を含む、前記手段は、前記ウェアラブルマルチピース電子デバイス筐体の第２部材を前記第１部材に操作可能に接続する手段であって、前記第２部材の前記第１部分は、前記ＲＦエネルギーを減衰させる少なくとも１層の伝導性材料を含む、手段を有する、請求項２１に記載のＲＦ信号伝送システム。
【請求項２３】
前記ウェアラブルマルチピース電子デバイス筐体の第２部材を前記第１部材に操作可能に接続する前記手段であって、前記第２部材の前記第１部分は、前記ＲＦエネルギーを減衰させる少なくとも１層の伝導性材料を含む、前記手段は、前記ウェアラブルマルチピース電子デバイス筐体の前記第２部材を前記第１部材に操作可能に接続する手段であって、前記第２部材の前記第１部分は少なくとも１つのディスプレイタッチモジュール（ＤＴＭ）を含む、請求項２２に記載のＲＦ信号伝送システム。
【請求項２４】
少なくとも１つの伝導性部材を介して前記第２部材の前記第２部分を前記送信機に伝導接続する前記手段は、前記第１部材と前記第２部材との間に少なくとも部分的に配された伝導性遮蔽部材を介して前記第２部材の前記第２部分を前記送信機に伝導接続する手段であって、前記伝導性遮蔽部材は、前記第２部材の前記第２部分に導電接続する、手段と、前記伝導性遮蔽部材を前記送信機に伝導接続する導電性部材手段とを有する、請求項２３に記載のＲＦ信号伝送システム。
【請求項２５】
前記第１部材と前記第２部材との間に配された伝導性遮蔽部材を介して前記第２部材の前記第２部分を前記送信機に伝導接続する前記手段は、前記ディスプレイタッチモジュールと前記送信機との間に少なくとも部分的に配された伝導性遮蔽部材を介して前記第２部材の前記第２部分を前記送信機に伝導接続する手段を含む、請求項２４に記載のＲＦ信号伝送システム。
【発明の詳細な説明】
【技術分野】
【０００１】
本開示は、ウェアラブル電子デバイスで用いて有用なアンテナに関する。
【背景技術】
【０００２】
繋がったウェアラブルデバイスの世界における現在のトレンドは、殆どのウェアラブル電子デバイスにより提供される非常に限られている設計体積でユーザエクスペリエンスを豊かにするマルチ接続機能に傾いている。益々密集度が高まってきているマーケットセグメントにおいて差別化をもたらすために工業デザイナー達は、美的に喜ばれかつ魅力的な外観仕上げをもたらすべく電子デバイスの本体または筐体のために特殊材料および／または貴重な材料（例えば、チタン、ハイグレードステンレス合金、金、銀、プラチナおよび同様のもの）を用いることに引き寄せられてきている。典型的には、ウェアラブル電子デバイスは、ＢＬＵＥＴＯＯＴＨ（登録商標）（ＢＴ）、ＢＬＵＥＴＯＯＴＨローエネルギー（ＢＬＥ）、および近距離無線通信（ＮＦＣ）等の通信プロトコルを用いて、スマートフォン、タブレットコンピュータ、または他のウェアラブルデバイス等の他のローカルデバイスに無線接続する。加えて、ウェアラブル電子デバイスは、広域ネットワーク（例えば、ＩＥＥ  ８０２．１１を介してインターネット）に接続してもよく、加えて、スタンドアロン型の衛星コンテンツ（例えば、ＧＰＳ／ＧＬＯＮＡＳＳ／Ｇａｌｉｌｅｏを介してグローバル測位データ）を受信してもよい。そのような小さなフォームファクターのウェアラブル電子デバイスで用いられるアンテナシステムに課される要求は極端であり、ユーザの身体または密着し着用される衣服に近接して配されたときに好適なユーザエクスペリエンスをもたらす優れたアンテナ性能が要求されている。
【０００３】
現在の電子デバイスの設計は、そのデバイスとの直観的なインタラクションをデバイスユーザに提供するコンパクトな入出力（Ｉ／Ｏ）インタフェースを提供するタッチスクリーンの使用に益々依存してきている。残念ながら、タッチスクリーン能力を提供するのに用いられるデジタルタッチモジュール（ＤＴＭ）は典型的には、アンテナ効率性に大きな損失をもたらす。ＤＴＭを作製するのに用いられる酸化インジウムスズ（ＩＴＯ）層は、比較的損失の大きな導体（例えば、１５０Ω／□）であり、デバイスの一部分に近接して配されるアンテナにより作り出される強い電界がＤＴＭと結びつき、１０ｄＢを越えることも多い損失を引き起こす。電界の結びつきは、デバイスの本体または筐体の頂部がＤＴＭのガラス面に近接して比較的高い電流を放射し作り出すことに主に起因していると考えられている。デバイスの頂部は、ユーザがもたらす損失、すなわち、ウェアラブルデバイスにとっての手による損失を最小化するのが好ましい。
【図面の簡単な説明】
【０００４】
特許請求されている主題の様々な実施形態の特徴および利点は、以下の発明を実施するための形態が進むにつれて、および図面を参照すると明らかになるであろう。それらにおいて、同様の数詞は同様の部分を示す。
【図１】本開示の少なくとも一実施形態に係る、ギャップにより隔離された第１部材と、操作可能に接続された第２部材とを少なくとも含むマルチピース筐体を含む例示的なウェアラブル電子デバイスを描写している。
【図２】本開示の少なくとも一実施形態に係る、デバイスユーザの腕に搭載された例示的なウェアラブル電子デバイスを含むシステムの部分断面図である。
【図３】本開示の少なくとも一実施形態に係る、送信機／受信機と、第２部材のＲＦ減衰性の第１部分との間に配された導電遮蔽部材と近距離無線通信（ＮＦＣ）アンテナとを含む他の例示的なウェアラブル電子デバイスの断面である。
【図４】本開示の少なくとも一実施形態に係る、複数のセグメントを含む第２部分と、１または複数の送信機／受信機をそれらセグメントのうちそれぞれに伝導接続する複数の導電性部材とを有する第２部材を含む他の例示的なウェアラブル電子デバイスの断面である。
【図５Ａ】本開示の少なくとも一実施形態に係る、送信機／受信機と第２部材との間に配された遮蔽部材を含む腕時計の形態の例示的なウェアラブル電子デバイスの断面である。
【図５Ｂ】本開示の少なくとも一実施形態に係る、図５Ａに描出されている例としての腕時計の分解断面である。
【図６】本開示の少なくとも一実施形態に係る、送信機／受信機を含む第１部材、および、第１ＲＦ減衰性部分と、ギャップにより第１部材から隔離された第２伝導性部分とを含む第２部材を含む筐体を含む電子デバイスを作り出すための例示的な方法の高レベルのフロー図である。
【図７】本開示の少なくとも一実施形態に係る、第２部材の第２部分の少なくとも一部に伝導接続した遮蔽部材と、１または複数の送信機／受信機を遮蔽部材に伝導接続する複数の導電性部材とを含む電子デバイスを作り出すための例示的な方法の高レベルのフロー図である。  以下の発明を実施するための形態は例示的な実施形態を参照して進められるが、それらに関して多くの代替、変更、および変形が当業者に明らかになるであろう。
【発明を実施するための形態】
【０００５】
本明細書で記載されているシステムおよび方法は、新規かつ革新的なアンテナ形態を提供する。そのアンテナ形態によりＢＬＵＥＴＯＯＴＨ（登録商標）、ＢＬＵＥＴＯＯＴＨローエネルギー、ＩＥＥＥ  ８０２．１１、全地球ナビゲーション衛星システム（ＧＮＳＳ）、およびＮＦＣアンテナは、殆どのウェアラブル電子デバイスにより提供されるＤＴＭモジュールの存在下で比較的小さなフォームファクターで動作することが可能となる。本明細書で記載されているシステムおよび方法は、ウェアラブル電子デバイスのアンテナシステムにより作り出された電磁信号をデバイスユーザの身体から離れる方向に放射する。実施形態において、本明細書で記載されているアンテナシステムおよび方法の１つのバージョンは、モノのインターネット（ＩｏＴ）デバイス内で２つの導体を用いるよう設計された容量装荷型モノポールアンテナシステムと同様に放射を行う。ＩｏＴデバイスは、伝導性の頂部と伝導性の底部とを含み、そのデバイスの頂部に、限られた無線周波数（ＲＦ）用の開口がある。
【０００６】
本明細書で記載されているシステムおよび方法は、ＤＴＭが存在している、全体が金属製の本体と限られたＲＦ用の開口とで構築されたＩｏＴデバイス内のシングルまたはマルチバンドアンテナを提供する。本明細書で記載されているシステムおよび方法は、ウェアラブル電子デバイスで用いられている現行のシステムおよび方法と比較して、大幅かつ革新的な進歩をもたらす。これら進歩には、ユーザの皮膚表面から離れるように置かれ、吸収損失を最小化しアンテナの放射効率性を向上させるアンテナが含まれる。本明細書で記載されているシステムおよび方法はさらに、送信機／受信機に近接して位置するＤＴＭに起因する損失を最小化し、ウェアラブル電子デバイスの金属製の筐体に必要な開口を最小化する。
【０００７】
実施形態において、本明細書で記載されているシステムおよびデバイスは、ＤＴＭと送信機／受信機との間に位置する伝導性遮蔽部を利用する。伝導性遮蔽部は、ウェアラブル電子デバイスの上部（通常、装飾部分）に導電接続される。一部の実施例において、ＮＦＣアンテナが、ＤＴＭと伝導性遮蔽部との間に位置する物理的支持を提供し、ある種のユーザエクスペリエンスを可能としてよい。ウェアラブル電子デバイスの頂部と底部とは、アンテナによる放射を可能とする、およびアンテナ性能を向上させるのに有用でもあるギャップにより隔離される。ＧＮＳＳおよびＢＬＵＥＴＯＯＴＨ／Ｗｉ−Ｆｉアンテナは、電気接触部を用いて、伝導性遮蔽部に対応する送信機／受信機から直接的に供給を受ける。
【０００８】
ウェアラブル電子デバイスが提供される。ウェアラブル電子デバイスは、ユーザの身体に近接して着用される第１部材と、操作可能に接続し電気分離した第２部材とを少なくとも有するマルチピース筐体であって、上記第２部材は少なくとも、無線周波数エネルギーを減衰させる材料を含む第１部分と、導電性材料を含む第２部分とを含み、ギャップが、上記第１部材を少なくとも上記第２部材の上記第２部分から物理的に隔離する、マルチピース筐体を含んでよい。ウェアラブル電子デバイスは加えて、
上記第１部材の中に少なくとも部分的に配された送信機／受信機と、
上記送信機／受信機を上記第２部材の上記第２部分に伝導接続する少なくとも１つの伝導性部材と
を含んでよい。
【０００９】
ウェアラブル電子デバイスを用いた無線周波数（ＲＦ）信号伝送方法が提供される。方法は、
送信機／受信機を、ウェアラブルマルチピース電子デバイス筐体の第１部材の中に少なくとも部分的に配する工程と、
上記マルチピース電子デバイス筐体の第２部材を上記第１部材に操作可能に接続する工程であって、上記第２部材は上記第１部材から電気分離し、上記第２部材は少なくとも、無線周波数エネルギーを減衰させる材料を含む第１部分と、導電性材料を含む第２部分とを含む、工程と、
ギャップを介して少なくとも上記第２部材の上記第２部分を上記第１部材から隔離する工程と、
少なくとも１つの伝導性部材を介して上記第２部材の上記第２部分を上記送信機／受信機に伝導接続する工程と
を含んでよい。
【００１０】
ウェアラブル電子デバイスを用いた無線周波数（ＲＦ）信号伝送システムが提供される。システムは、
送信機／受信機を、ウェアラブルマルチピース電子デバイス筐体の第１部材の中に少なくとも部分的に配する手段と、
上記マルチピース電子デバイス筐体の第２部材を上記第１部材に操作可能に接続する手段であって、上記第２部材は上記第１部材から電気分離し、上記第２部材は少なくとも、無線周波数エネルギーを減衰させる材料を含む第１部分と、導電性材料を含む第２部分とを含む、手段と、
ギャップを介して少なくとも上記第２部材の上記第２部分を上記第１部材から隔離する手段と、
少なくとも１つの伝導性部材を介して上記第２部材の上記第２部分を上記送信機／受信機に伝導接続する手段と
を含んでよい。
【００１１】
本明細書において用いられているように「ウェアラブル電子デバイス」という用語は、デバイスユーザの身体の少なくとも一部分に近接して取り付けられる、固定される、または配置されることが可能な任意の電子デバイスを指す。例示的なウェアラブル電子デバイスとして、アイウェア（例えば、Ｇｏｏｇｌｅ  Ｇｌａｓｓ（登録商標）、Ｇｏｏｇｌｅ、Ｉｎｃ．Ｍｏｕｎｔａｉｎ  Ｖｉｅｗ，ＣＡ）；ペンダント、ブレスレット、ブレース、ブローチ、指輪、時計、および同様のウェアラブルデバイスまたはファッション付属品を含んでよいがこれらに限らない。
【００１２】
本明細書で用いられているように、「頂部」、「底部」、「上」、「下」、「上方」、「下方」、「上方に」、「下方に」という用語、および同様の方向を示す用語は、絶対的な意味ではなく相対的な意味で解されるべきである。したがって、「上方にずらされ」たものとして記載されている構成要素は、その構成要素を支持するデバイスが９０度回転させられた場合、「側方にずらされ」るものとして見なされてよく、その構成要素を支持するデバイスが反転させられた場合、「下方にずらされ」るものとして見なされてよい。そのような実装例は、本開示の範囲に含まれるものとして見なされるべきである。
【００１３】
本明細書および添付の請求項で用いられるように、「ａ」、「ａｎ」、および「ｔｈｅ」という単数形は、文脈上明らかに異なることが求められない限り複数の指示物を含む。「または」という用語は概して、文脈上異なることが明らかに求められない限り「および／または」をその意味に含んで採用されていることにも留意されるべきである。
【００１４】
図１は、本開示の少なくとも一実施形態に係る、ギャップ１３０により隔離された第１部材１０２と、操作可能に接続された第２部材１１０とを少なくとも含むマルチピース筐体を含む例示的なウェアラブル電子デバイス１００を描写している。図１に描写されているように、第２部材１１０は、無線周波数（ＲＦ）信号を減衰可能な１または複数の材料を含む第１部分１１２と、導電性第２部分１１４とを含んでよい。１または複数の送信機／受信機１０４が少なくとも部分的に、第１部材１０２内に、その上に、またはその周辺に配される。１または複数の導電性接触部１２０が、１または複数の送信機／受信機１０４を第２部材１１０の導電性第２部分１１４へ伝導接続する。
【００１５】
第１部材１０２は、ウェアラブル電子デバイス１００の外部筐体の少なくとも一部分を構成してよい。例えば、第１部材１０２は、時計を提供するのに用いられる機械的および／または電気機械的構成要素の少なくとも一部を含む時計の外部カバーを含んでよいがこれに限らない。実施形態において、第１部材１０２は、第１部材１０２内の一部が閉じられた空所１０９を構成する外周壁１０８により部分的に、または完全に囲まれた床部１０６を含んでよい。第１部材１０２は、１または複数の伝導性の金属製材料および／または１または複数の伝導性の非金属製材料を含む１または複数の伝導性材料を用い作製されてよい。例えば、第１部材１０２は、金、銀、プラチナ、鋼、ステンレス鋼、マグネシウム、アルミニウム、または上述のもののうち１または複数を含有する合金を含むがこれらに限らない１または複数の伝導性金属または金属合金を用いて作製されてよい。他の例において、第１部材１０２は、グラフェン、伝導性ポリマー、１または複数の伝導性材料（例えば、ポリマー基材内の銀製のナノワイヤ）を含有するポリマー、または同様のものを含むがこれらに限らない１または複数の伝導性の非金属を用いて作製されてよい。
【００１６】
第１部材１０２は、任意の物理的サイズ、形状、または構成を有してよい。例えば、第１部材１０２は、円形、楕円形、長方形、正方形、三角形、台形、またはこれらの任意の組み合わせである物理的構成を含んでよい。第１部材１０２は単一のピースとして作製されてよく、または、個別の構成要素が永久的に、または取り外し可能に固定されてよい一体的な組立品を構成するよう固定された、接合された、または他の何らかの方式で物理的に接続された、または取り付けられたマルチピースの組立品を含んでよい。第１部材は、デバイスユーザの外面（例えば、皮膚、衣料）に近接して身に付けられる、着用される、移動させられる、または他の何らかの方式で支持されることが可能な任意の物理的寸法を有し得る。
【００１７】
第１部材１０２は、床部分１０６と、床部分１０６との境界を有する外周壁部分１０８とを含む。実施形態において、床部分１０６と壁部分１０８とは、一体的な構造として作製されてよい。床部分１０６は図１において、電子デバイス１００の底を構成する平坦な面として描出されているが、床部分１０６は、凹状、凸状、角度付き、またはこれらの任意の組み合わせ等の任意の形状または物理的構成を有してよい。
【００１８】
１または複数の送信機／受信機１０４は、第１部材１０２の床部分１０６と外周壁部分１０８とにより少なくとも一部が形成される空洞または同様の空所１０９に配されてよい。１または複数の送信機／受信機１０４は、１または複数の周波数、周波数範囲、または周波数帯域の無線周波数信号を送信および／または受信可能な１または複数の送信機／受信機またはトランシーバを含んでよい。実施形態において、１または複数の送信機／受信機１０４は、１または複数のＩＥＥＥ  ８０２．１１（Ｗｉ−Ｆｉ（登録商標））準拠のトランシーバ、１または複数のＢＬＵＥＴＯＯＴＨ（登録商標）準拠のトランシーバ、１または複数のＢＬＵＥＴＯＯＴＨローエネルギー（ＢＬＥ）／ＢＬＵＥＴＯＯＴＨ（登録商標）Ｓｍａｒｔトランシーバ、１または複数の近距離無線通信（ＮＦＣ）トランシーバ、１または複数のセルラー通信（例えば、３Ｇ、４Ｇ、５Ｇ、ＬＴＥ、ＣＤＭＡ、ＧＳＭ（登録商標））トランシーバ、またはこれらの組み合わせを含んでよいがこれらに限らない。少なくとも一部の実施例において、１または複数のトランシーバ１０４はスタンドアロン型の構成要素であってよく、または、より大きなシステム、例えばシステムオンチップ（ＳｏＣ）若しくは同様のプロセッサベースのデバイスの一部分として含まれてよい。一部の実施例において、１または複数の送信機／受信機１０４は、情報および／またはデータの生成、複数の種々の周波数範囲での情報および／またはデータの送信／受信を可能にする１または複数の周波数ダイプレクサを含んでよく、またはそのような１または複数の周波数ダイプレクサに接続してよい。
【００１９】
第２部材１１０は、入射する無線周波数信号を減衰させる第１部分１１２と、入射した無線周波数信号を伝播する導電性の第２部分１１４とを含む。第２部材１１０は第１部材１０２に操作可能に接続しており、第１部材１０２内に形成された空所１０９を部分的に、または完全に閉じてよい。第２部材１１０は第１部材１０２から電気分離しており、第１部材１０２と少なくとも第２部材１１０の第２部分１１４とはギャップ１３０により物理的に隔離されてよい。第１部材１０２と第２部材１１０の第２部分１１４との間を隔離する距離（すなわち、ギャップの幅）は、一部の実施例において、１または複数の送信機／受信機１０４により作り出されるＲＦ信号に基づき選択されてよい。第１部材１０２と第２部材１１０の第２部分１１４との間のギャップ１３０は：約０．２ミリメートル（ｍｍ）またはそれ未満；約０．３ｍｍまたはそれ未満：約０．５ｍｍまたはそれ未満；約０．７ｍｍまたはそれ未満；約０．９ｍｍまたはそれ未満；約１．０ｍｍまたはそれ未満；約１．３ｍｍまたはそれ未満；または、約１．５ｍｍまたはそれ未満であってよい。一部の実施例において、第１部材１０２と第２部材１１０の第２部分１１４との間のギャップ１３０は、１または複数の送信機／受信機１０４により作り出される、または他の何らかの方式でそれらにより生成されるＲＦ信号に関して所望される共振周波数に基づき全体が、または一部が選択されてよく、または他の何らかの方式でそのように決定されてよい。
【００２０】
第２部材１１０の第１部分１１２は、１または複数のＲＦ減衰性の材料を含んでよい。例えば、第２部材１１０の第１部分１１２は、抵抗が小さい複数の透明かつ伝導性の層を含むディスプレイタッチモジュールを含んでよい。そのような透明かつ伝導性の層は、酸化インジウムスズ（ＩＴＯ）、透明かつ伝導性のポリマー、ポリマー基材に埋め込まれた透明な構造体（例えば、金属製のナノ構造、伝導性のグラフェンナノ構造）、またはこれらの任意の組み合わせ等の透明かつ伝導性の材料を含んでよい。加えて、第２部材１１０の第１部分１１２は、第２部材１１０の第１部分１１２のＲＦ減衰特性を向上させる１または複数のガラス層（例えば、サファイア／酸化アルミニウムガラス、ＧＯＲＩＬＬＡ（登録商標）ガラス）を含んでよい。さらに、第２部材１１０の第１部分１１２は、有機発光ダイオード（ＯＬＥＤ）ディスプレイに見られるアノードおよびカソード等のディスプレイデバイスを含んでよい。
【００２１】
第２部材１１０の第２部分１１４は、１または複数の送信機／受信機１０４により作り出されたＲＦ信号の伝播をサポート可能な１または複数の導電性材料を含んでよい。第２部材１１０の第２部分１１４の全体または一部分は露出していてよく、電子デバイス１００に対して機能的および／または美的特徴をもたらしてよい。実施形態において、第２部材１１０の第２部分１１４の全体または一部分は、ＲＦ信号に対して透明である材料の１または複数の層またはコーティングにより覆われてよい。そのような層またはコーティングは、１または複数の美的コーティングおよび／または１または複数の機能的コーティングを含んでよい。実施形態において、第２部材１１０の第２部分１１４の全体または一部分は、金、銀、プラチナ、鋼、ステンレス鋼、マグネシウム、アルミニウム、またはこれらのうち１または複数を含有する合金を含むがこれらに限らない１または複数の導電性金属または金属合金を含んでよい。他の例において、第２部材１１０の全体または一部分は、グラフェン、伝導性のポリマー、１または複数の伝導性材料を含有するポリマー（例えば、ポリマー基材内の銀製のナノワイヤ）、または同様のものを含むがこれらに限らない１または複数の伝導性の非金属を用いて作製されてよい。一部の実施例において、第２部材１１０の第２部分１１４の全体または一部分の組成は、１または複数の送信機／受信機１０４により作り出される、または他の何らかの方式でそれらにより生成されるＲＦ信号の周波数に基づいてよい。少なくとも一実施形態において、第２部材１１０の第２部分１１４は、デジタルまたはアナログ時計の表面を部分的に、または完全に取り囲む時計ベゼルまたは同様の伝導性の構造を含んでよい。
【００２２】
一部の実施例において、第２部材１１０の第２部分１１４は、単一の導電性のセグメントを含んでよい。この場合、第２部分１１４全体を構成するそのセグメントは、１または複数の送信機／受信機１０４により提供される、または他の何らかの方式でそれらにより作り出されるシングルバンドＲＦ信号のための放射面（例えば、アンテナ）を提供することとなる。他の実施例において、第２部材１１０の第２部分１１４は、複数の分離した導電性のセグメントとなるよう均等に、または不均等に分割されてよい。この場合、１または複数の送信機／受信機１０４により提供される、または他の何らかの方式でそれらにより作り出される複数のシングルバンドＲＦ信号のうちそれぞれのための各放射面をそれら複数のセグメントのうち各セグメントが提供することとなる。
【００２３】
１または複数の導電性部材１２０が、１または複数の送信機／受信機を第２部材１１０の第２部分１１４と伝導接続する。１または複数の導電性部材１２０は、１または複数の送信機／受信機１０４を第２部材１１０の第２部分１１４に導電接続する任意の数および／または組み合わせのデバイスおよび／またはシステムを含んでよい。一部の実施例において、１または複数の送信機／受信機１０４は、それぞれが異なる周波数帯域のものである複数のＲＦ信号を生成してよい。そのような実施例において、１または複数の導電性部材１２０は、１または複数の送信機／受信機１０４のうちそれぞれを第２部材１１０の第２部分１１４の１または複数のセグメントに伝導接続してよい。導電性部材１２０は、１または複数の送信機／受信機１０４から第２部材１１０の導電性第２部分１１４の全体または一部分への導電経路を提供可能な１または複数のばねクリップ、または張力がかけられた同様の導電性部材を含んでよい。
【００２４】
図２は、本開示の少なくとも一実施形態に係る、デバイスユーザの腕２０２に搭載された例示的なウェアラブル電子デバイス１００を含むシステムの部分断面図である。図２に描写されているように、第２部材１１０の第２部分１１４は、電子デバイス１００内の１または複数の送信機／受信機１０４により作り出される、または他の何らかの方式でそれらにより生成されるＲＦ信号２０４を放射する。図２に描写されているように、同様の取り付け固定具２０６の１または複数の留め具、ピン、ベルト、ストラップが電子デバイス１００に操作可能に接続してよい。そのような取り付け固定具２０６により、電子デバイスは、デバイスユーザ２０２の身体に近接して置かれることになってよい。
【００２５】
有益なのは、ＲＦ信号２０４に伝送されるエネルギーが電子デバイス１００により、第２部材１００の第１部分１１２における構成要素により引き起こされる減衰の、およびデバイスユーザ２０２の身体により引き起こされる減衰のマイナスの影響を最小化する方向へと発信されるということである。そのような配置は、デバイスユーザ２０２から離れるように外側の方向へとＲＦ信号２０４を放射することにより、ＲＦ信号２０４の、デバイスユーザ２０２に対する任意のマイナスの影響を最小化し得る。同様にそのような配置が助長し得るのは、電子デバイスにより発信されたＲＦ信号２０４をデバイスユーザ２０２から離れる方向に向けることにより可能となる、デバイスユーザ２０２により用いられる他の電気機械または電気デバイス（例えば、ペースメーカ）との干渉の可能性の最小化である。
【００２６】
図３は、本開示の少なくとも一実施形態に係る、送信機／受信機１０４と、第２部材１１０のＲＦ減衰性の第１部分１１２との間に配された導電遮蔽部材３０２と近距離無線通信（ＮＦＣ）アンテナ３０４とを含む他の例示的なウェアラブル電子デバイス３００の断面である。図３に描写されているように、実施形態において、遮蔽部材３０２は、第２部材１１０の第２部分１１４の全体または一部分に導電接続してよい。実施形態において、遮蔽部材３０２は、第２部材１１０の第１部分１１２から電気分離してよい。１または複数の導電性部材３０６が１または複数の送信機／受信機１０４を遮蔽部材３０２に伝導接続し、そして遮蔽部材３０２は、第２部材１１０の第２部分１１４に伝導接続する。図３に描写されているように、ＮＦＣアンテナ３０４からのＲＦ信号３１０が、第２部材１１０のＲＦ減衰性の第１部分１１２を通過してよい。
【００２７】
遮蔽部材３０２は、１または複数の送信機／受信機１０４を第２部材１１０の第２部分１１４に導電接続しつつ第２部材１１０のＲＦ減衰性の第１部分１１２から第１部材内の空所１０９の少なくとも一部分を電気的に遮蔽可能な、任意の数および／または組み合わせのデバイスおよび／またはシステムを含んでよい。一部の実施例において、遮蔽部材３０２は、１または複数の導電性金属および／または１または複数の導電性金属合金を用いて作製されてよい。例は、銅、銀、金、プラチナ、鋼、ステンレス鋼、アルミニウム、および／またはこれらの合金を含むがこれらに限らない。一部の実施例において、遮蔽部材３０２は、グラフェン等の１または複数の伝導性の非金属製材料、または、金属製のナノワイヤ等の導電性材料を含有する１または複数の材料を用いて作製されてよい。
【００２８】
遮蔽部材３０２は、第２部材１１０の第２部分１１４に導電接続する。一部の実施例において、遮蔽部材と第２部材１１０の第２部分１１４との間の伝導接続は、導電性接着剤または同様のもの等の１または複数の導電性の接合剤を含んでよい。一部の実施例において、遮蔽部材３０２と第２部材１１０の第２部分１１４との間の伝導接続は、１または複数の導電性のばねクリップ、ネジ、ボルト、または同様の取り外し可能に取り付け可能な、または取り外し不可能に取り付け可能な留め具等の１または複数の留め具を含んでよい。一部の実施例において、遮蔽部材３０２と第２部材１１０の第２部分１１４との間の伝導接続は、溶接、はんだ付け、またはろう付けによるもの等の機械的な取り付けを含んでよい。
【００２９】
ＮＦＣアンテナ３０４は、１３．５６メガヘルツ（ＭＨｚ）前後等の１または複数のＮＦＣ周波数の、またはその周辺の周波数の１または複数の信号の形態であるＲＦ電磁エネルギー３１０を放射可能な、任意の数および／または組み合わせのデバイスおよび／またはシステムを含んでよい。ＮＦＣは、極短距離（例えば、２から４センチメートル）の距離間で動作するよう意図されているので、第２部材１１０の第１部分１１２によりもたらされる減衰は許容可能であり、ＮＦＣアンテナ３０４は、遮蔽部材３０２の上面と第２部材１１０の第１部分１１２との間に配されてよい。遮蔽部材３０２は、第２部材１１０の第１部分１１２にとって、損失を緩和するファラデーケージとしての働きを自然とし、およびＮＦＣアンテナの一部であるフェライト材としての働きをし、また、１１４と共に放射するシングルおよび／またはマルチバンドアンテナの一部である。
【００３０】
１または複数の送信機／受信機１０４を遮蔽部材３０２に伝導接続する導電性部材３０６は、１または複数の送信機／受信機１０４から第２部材１１０の第２部分１１４へＲＦ信号２０４を送信可能な、または他の何らかの方式で通信可能な、任意の数および／または組み合わせのデバイスおよび／またはシステムを含んでよい。一部の実施例において、１または複数の送信機／受信機１０４は、それぞれが異なる周波数帯域の複数のＲＦ信号を生成してよい。そのような実施例において、１または複数の導電性部材３０６は、１または複数の送信機／受信機１０４のうちそれぞれを第２部材１１０の第２部分１１４の１または複数のセグメントに伝導接続してよい。導電性部材３０６は、１または複数の送信機／受信機１０４から第２部材１１０の導電性第２部分１１４の全体または一部分への導電経路を提供可能な１または複数のばねクリップ、または張力がかけられた同様の導電性部材を含んでよい。一部の実施例において、１または複数の導電性部材３０６が、ウェアラブル電子デバイス３００に含まれる電子構成要素の少なくとも一部分のための静電放電（ＥＳＤ）保護を提供するのも有益であってよい。一部の実施例において、１または複数の導電性部材３０６が、送信機／受信機１０４での使用のためのアンテナ調整要素を提供するのも有益であってよい。
【００３１】
図４は、本開示の少なくとも一実施形態に係る、複数のセグメント４０２Ａ、４０２Ｂ（総じて、「セグメント４０２」）を含む第２部分１１４と、１または複数の送信機／受信機１０４をセグメント４０２Ａ、４０２Ｂのうちそれぞれに導電接続する複数の導電性部材４０４Ａ、４０４Ｂ（総じて、「導電性部材４０４」）とを有する第２部材１１０を含む他の例示的なウェアラブル電子デバイス４００の断面である。一部の実施例において、１または複数の送信機／受信機１０４は、複数のＲＦ信号４０６Ａ、４０６Ｂ（総じて、「ＲＦ信号４０６」）を生成して、または他の何らかの方式でそれらを作り出してよい。したがって、実施形態において、セグメント４０２のうち一部または全てのうちそれぞれが、１または複数の送信機／受信機１０４のうちそれぞれのものから異なるＲＦ信号４０６を受信してよい。一部の実施例において、セグメント４０２のうち一部または全てが、１より多くのＲＦ信号４０６を発信／受信してよい。例えば、セグメント４０２のうち一部または全てが、第１周波数帯域の第１ＲＦ信号４０６Ａ、および第２周波数帯域の第２ＲＦ信号４０６Ｂを発信／受信してよい。そのようなマルチバンド信号は、例えば、種々の周波数ＲＦ信号４０２を合成して単一のマルチバンド信号を作り出す１または複数のダイプレクサを用いて生成されてよい。
【００３２】
図５Ａおよび図５Ｂは、本開示の少なくとも一実施形態に係る、送信機／受信機１０４と第２部材１１０との間に配された遮蔽部材３０２を含む腕時計の形態の例示的なウェアラブル電子デバイス５００の断面である。図５Ａに描写されているように、この例示的な時計５００Ａは、一次（充電不可能な）電池、二次（充電可能な）電池、超コンデンサ、ウルトラコンデンサ、または同様のエネルギー貯蔵デバイス５０２等のエネルギー貯蔵デバイス５０２を含んでよい。例示的な時計５００は、１または複数の送信機／受信機１０４の下方に配された下側ＲＦ遮蔽部材５０４、および１または複数の送信機／受信機１０４の上方に配された上側ＲＦ遮蔽部材５０６も含んでよい。図５Ａに同じく描写されているように、ＲＦ信号にとって透明であるギャップ充填材料５０８が、ギャップ１３０の全体または一部分内に全体が、または一部配されてよい。そのようなギャップ充填材料５０８を用いることは、時計５００Ａの構造的一体性を向上させる点で有益であり得、耐水性の時計筐体を提供し得る。
【００３３】
図６は、本開示の少なくとも一実施形態に係る、送信機／受信機１０４を含む第１部材１０２、および、第１ＲＦ減衰性部分１１２と、ギャップ１３０により第１部材１０２から隔離された第２伝導性部分１１４とを含む第２部材１１０を含む筐体を含む電子デバイス１００を作り出すための例示的な方法６００の高レベルのフロー図である。方法６００は６０２において開始する。
【００３４】
６０４において、１または複数の送信機／受信機１０４が、マルチピース筐体の第１部材１０２に配される。一部の実施例において、１または複数の送信機／受信機１０４は、種々の周波数の、または種々の周波数帯域内のＲＦ信号を少なくとも一部が生成してよい、または他の何らかの方式でそれらを少なくとも一部が作り出してよい複数の送信機／受信機１０４を含んでよい。実施例において、１または複数の送信機／受信機１０４は、スタンドアロン型のデバイスであってよく、または、システムオンチップ（ＳｏＣ）または同様のもの等のより大きなマルチ機能デバイスの一部分であってよい。
【００３５】
第１部材１０２は、任意の形状、サイズ、または構成を有してよい。少なくとも一部の実施例において、第１部材１０２は、床部材１０６の周囲の全体または一部分の周辺に配された周壁１０８により部分的に、または完全に囲まれてよい床部材１０６を含んでよい。一緒になって、床部材１０６および周壁１０８は、第１部材１０２内の空所１０９を画定してよい。１または複数の送信機／受信機は、第１部材１０２内に形成された空所１０９内に部分的に、または完全に配されてよい。一例において、第１部材は、バンドに取り付けられたときに、デバイスユーザの手首が底部材１０６の下面に近接するようデバイスユーザの手首の周辺に着用される時計外部カバーを含んでよい。
【００３６】
６０６において、第１ＲＦ減衰性部分１１２、第２導電部分１１４とを含む第２部材１１０が、第１部材１０２に操作可能に接続してよい。一部の実施例において、第２部材１１０はウェアラブル電子デバイス１００の外面の一部分を構成する。一部の実施例において、第１ＲＦ減衰性部分１１２は、複数の伝導性構造、例えば複数の伝導性層を含んでよい。一例において、第１ＲＦ減衰性部分１１２は、複数の透明な導体層を含むディスプレイタッチモジュールを含んでよい。他の例において、第１ＲＦ減衰性部分１１２は、ＲＦの減衰をもたらすフェライト含有のＮＦＣアンテナ等の１または複数のフェライトデバイスを含んでよい。
【００３７】
一部の実施例において、第２部材１１０は第１部材１０２に強固に固定されてよい。一部の実施例において、第２部材１１０は第１部材１０２に取り外し可能に取り付けられてよい。一部の実施例において、第２部材１１０は第１部材１１０に移動可能に、または他の何らかの方式で変位可能に取り付けられてよい。一部の実施例において、第２部材１１０は、ウェアラブル電子デバイスがデバイスユーザにより着用されたときにユーザから遠位となるよう配されてよい。
【００３８】
６０８において、第１部材１０２と第２部材１１０の第２部分１１４との間にギャップ１３０が配置される、または他の何らかの方式で形成される。ギャップ１３０は第１部材１０２と第２部材１１０の第２部分１１４との間に約０．５ミリメートルから約１ミリメートルの間隔を維持してよい。一部の実施例において、ギャップ１３０により形成される、または他の何らかの方式で作り出される第１部材１０２と第２部材１１０の第２部分１１４との間の間隔および／または距離は、１または複数の送信機／受信機１０４により作り出されるＲＦ信号２０４の周波数に基づき決定されてよい。少なくとも一部の実施例において、材料がギャップ１３０を部分的に、または完全に充填してよい。そのような実施例において、その材料は、第２部材１１０により提供されるアンテナの周波数を調節する、または他の何らかの方式で調整する適当な調整パラメータをもたらすよう選択されてよい。
【００３９】
６１０において、１または複数の導電性部材１２０が、１または複数の送信機／受信機１０４を第２部材１１０の第２部分１１４のうち一部または全てに伝導接続してよい。一部の実施例において、複数の導電性部材１２０のうちそれぞれが、１または複数の送信機／受信機１０４を、第２部材１１０の第２部分１１４を構成する対応する複数のセグメントのうちそれぞれに伝導接続してよい。実施形態において、第２部材１１０の第２部分１１４を構成するセグメントは電気分離してよい。実施形態において、第２部材１１０第２部分１１４の複数のセグメントのうちそれぞれが、１または複数の送信機／受信機１０４により提供される複数のＲＦ信号のうちそれぞれにとってのアンテナとしての役割を果たしてよい。方法６００は６１２で終了する。
【００４０】
図７は、本開示の少なくとも一実施形態に係る、第２部材１１０の第２部分１１４の少なくとも一部に伝導接続した遮蔽部材３０２と、１または複数の送信機／受信機１０４を遮蔽部材３０２に伝導接続する複数の導電性部材１２０とを含む電子デバイス１００を作り出すための例示的な方法７００の高レベルのフロー図である。方法７００は７０２において開始する。
【００４１】
７０４において、遮蔽部材３０２が、第２部材１１０の第２部分１１４のうち一部または全てに伝導接続してよい。遮蔽部材３０２は、１または複数の金属または金属合金等の１または複数の導電性材料を含んでよく、またはそれらを用いて作製されてよい。
【００４２】
実施形態において、遮蔽部材３０２は複数のセグメント、またはセグメント化された区画を含んでよい。そのような実施形態において、それら複数のセグメントのうち一部または全てが互いに物理的に接続してよい。そのような実施形態において、複数のセグメントのうち一部または全てが、遮蔽部材３０２を構成する残りのセグメントの少なくとも一部から電気分離してよい。そのような実施形態において、遮蔽部材３０２を構成する複数のセグメントのうちそれぞれが、第２部材１１０の第２部分１１４を構成する複数のセグメントのうちそれぞれに導電接続してよい。
【００４３】
７０６において、１または複数の導電性部材１２０は、１または複数の送信機／受信機１０４を遮蔽部材３０２に伝導接続してよい。一部の実施例において、複数の導電性部材１２０のうちそれぞれが、遮蔽部材３０２を構成する複数のセグメントのうちそれぞれに伝導接続してよい。方法７００は７０８において終了する。
【００４４】
追加的に、上記の図、およびそれらに伴う例を参照して実施形態の処理がさらに記載されてきた。それら図の一部のはロジックフローを含むかもしれない。本明細書において提示されているそのような図は特定のロジックフローを含むかもしれないが、そのロジックフローは単に、本明細書で記載されている一般的な機能性がどのように実装され得るかの例を提供することが理解され得る。さらに、与えられているロジックフローは、特段示されていない限り提示されている順序で必ずしも実行されなくてよい。加えて、与えられているロジックフローは、ハードウェア要素、プロセッサにより実行されるソフトウェア要素、またはそれらの任意の組み合わせにより実装されてよい。実施形態はこの状況に限らない。
【００４５】
様々な特徴、態様、および実施形態が本明細書で記載されてきた。当業者には理解されるであろうが、それら特徴、態様、および実施形態は、それら同士の組み合わせ、並びに、変形および変更が可能である。よって本開示は、そのような組み合わせ、変形、および変更を網羅するものと解されるべきである。したがって、本願発明の広さおよび範囲は、上述の例としての実施形態のいずれによっても限定されるべきではなく、以下の請求項およびそれらの等価物に従ってのみ定義されるべきである。
【００４６】
本明細書において採用されてきた用語および表現は、限定ではなく説明の用語として用いられており、そのような用語および表現の使用において、示されている、および説明されている特徴（またはそれらの一部分）の何らかの等価物を排除することは全く意図されておらず、請求項の範囲内で様々な変更が可能であることが理解される。したがって、請求項はそのような等価物全てを網羅することが意図されている。様々な特徴、態様、および実施形態が本明細書で記載されてきた。当業者には理解されるであろうが、それら特徴、態様、および実施形態は、お互いの組み合わせ、並びに、変形および変更が可能である。よって本開示は、そのような組み合わせ、変形、および変更を網羅するものと解されるべきである。
【００４７】
本明細書で記載されているように、様々な実施形態が、ハードウェア要素、ソフトウェア要素、またはそれらの任意の組み合わせを用いて実装されてよい。ハードウェア要素の例は、プロセッサ、マイクロプロセッサ、回路、回路要素（例えば、トランジスタ、抵抗器、コンデンサ、インダクタ、コイル、伝送線路、遅波伝送線路、変圧器など）、集積回路、特定用途向け集積回路（ＡＳＩＣ）、無線受信機、送信機／受信機、トランシーバ、無線ブロードバンド通信用のビームフォーミングおよび電子ビームステアリング用のスマートアンテナアレイ、または自律走行用のレーダーセンサ、または触覚的なインターネット体験のためのキーボードデバイスに置き換わるジェスチャセンサ、セキュリティ用途向けのスクリーニングセンサ、医療センサ（がんスクリーニング）、プログラマブルロジックデバイス（ＰＬＤ）、デジタルシグナルプロセッサ（ＤＳＰ）、フィールドプログラマブルゲートアレイ（ＦＰＧＡ）、論理ゲート、レジスタ、半導体デバイス、チップ、マイクロチップ、チップセットなどを含んでよい。
【００４８】
本明細書を通じて「一実施形態」または「ある実施形態」について言及した場合、それは、その実施形態に関連して記載されている特定の特徴、構造、または特性が少なくとも１つの実施形態に含まれることを意味する。したがって、本明細書を通じて様々な箇所において「一実施形態において」または「ある実施形態において」というフレーズが出現したとしても、それらは必ずしも全てが同じ実施形態を指しているわけではない。さらに、特定の特徴、構造、または特性が１または複数の実施形態において任意の適した方式で組み合わせられてよい。
【００４９】
以下の例は、更なる実施形態に関係する。本開示の以下の例は、第１部材１０２と第２部材１１０とを含むウェアラブル電子デバイス１００を提供するためのデバイス、システム、方法、および手段等の主題を含んでよい。第２部材１１０は、第１ＲＦ減衰性部分１１２と第２導電部分１１４とを含んでよい。１または複数の送信機／受信機１０４により生成されたＲＦ信号２０４が、第２部材１１０の第２部分１１４から発信／受信されることにより、第２部材１１０の第１部分１１２の減衰を避け、デバイスユーザへのＲＦ信号の入射を最小化するよう、第１部材１０２に配された１または複数の送信機／受信機１０４が、第２部材１１０の第２部分１１４に伝導接続される。そのような配置は、電子デバイスのエネルギー効率性を向上させ、デバイスユーザへの、発信されたＲＦ信号の影響を最小化する点で有益である。
【００５０】
例１によれば、ウェアラブル電子デバイスが提供される。ウェアラブル電子デバイスは、ユーザの身体に近接して着用される第１部材と、操作可能に接続し電気分離した第２部材とを少なくとも有するマルチピース筐体であって、上記第２部材は少なくとも、無線周波数エネルギーを減衰させる材料を含む第１部分と、導電性材料を含む第２部分とを含み、ギャップが、上記第１部材を少なくとも上記第２部材の上記第２部分から物理的に隔離する、マルチピース筐体を含んでよい。ウェアラブル電子デバイスは加えて、上記第１部材の中に少なくとも部分的に配された送信機／受信機と、上記送信機／受信機を上記第２部材の上記第２部分に伝導接続する少なくとも１つの伝導性部材とを含んでもよい。
【００５１】
例２は例１の要素を含んでよく、上記無線周波数エネルギーを減衰させる材料は少なくとも１層の伝導性材料を含んでよい。
【００５２】
例３は例２の要素を含んでよく、上記少なくとも１層の伝導性材料は、ディスプレイタッチモジュール（ＤＴＭ）の少なくとも一部分を構成してよい。
【００５３】
例４は例３の要素を含んでよく、上記少なくとも１つの伝導性部材は、
上記第１部材と上記第２部材との間に配され、上記第２部材の上記第２部分に導電接続した伝導性遮蔽部材と、
上記伝導性遮蔽部材を上記送信機／受信機に伝導接続する導電性部材と
を含んでよい。
【００５４】
例５は例４の要素を含んでよく、上記伝導性遮蔽部材は、上記ディスプレイタッチモジュールと上記送信機／受信機との間に配されてよい。
【００５５】
例６は例５の要素を含んでよく、近距離無線通信（ＮＦＣ）アンテナを追加的に含んでよく、
上記伝導性遮蔽部材は、上記ＮＦＣアンテナと上記送信機／受信機との間に配される。
【００５６】
例７は例４の要素を含んでよく、上記送信機／受信機は少なくとも１つの周波数ダイプレクサを有してよく、上記第２部材の上記第２部分は、マルチバンドアンテナを含む。
【００５７】
例８は例１から７のいずれかの要素を含んでよく、上記マルチピース筐体は腕時計を含んでよく、上記第１部材は上記腕時計の外部カバーの少なくとも一部分を含み、上記第２部材は上記腕時計のベゼルの少なくとも一部分を含む。
【００５８】
例９は例１から７のいずれかの要素を含んでよく、上記第１部材を上記第２部材の上記第２部分から物理的に隔離する上記ギャップは、約０．５ミリメートル（ｍｍ）から約１ｍｍの寸法を有する物理的なギャップを含んでよい。
【００５９】
例１０は例１から６のいずれかの要素を含んでよく、上記送信機／受信機はトランシーバを含んでよく、上記第２部材の上記第２部分は、全地球ナビゲーション衛星システム（ＧＮＳＳ）トランシーバと、ＢＬＵＥＴＯＯＴＨ（登録商標）トランシーバと、ＩＥＥＥ  ８０２．１１準拠（Ｗｉ−Ｆｉ）のトランシーバとのうち少なくとも１つでの利用に合わせて調整されたシングルバンドアンテナを含んでよい。
【００６０】
例１１によれば、ウェアラブル電子デバイスを用いた無線周波数（ＲＦ）信号伝送方法が提供される。方法は、
送信機／受信機を、ウェアラブルマルチピース電子デバイス筐体の第１部材の中に少なくとも部分的に配する工程と、
上記マルチピース電子デバイス筐体の第２部材を上記第１部材に操作可能に接続する工程であって、上記第２部材は上記第１部材から電気分離し、上記第２部材は少なくとも、無線周波数エネルギーを減衰させる材料を含む第１部分と、導電性材料を含む第２部分とを含む、工程と、
ギャップを介して少なくとも上記第２部材の上記第２部分を上記第１部材から隔離する工程と、
少なくとも１つの伝導性部材を介して上記第２部材の上記第２部分を上記送信機／受信機に伝導接続する工程と
を含んでよい。
【００６１】
例１２は例１１の要素を含んでよく、上記マルチピース電子デバイス筐体の第２部材を上記第１部材に操作可能に接続する上記工程であって、上記第２部材はＲＦエネルギーを減衰させる材料を含む第１部分を少なくとも含む、上記工程は、上記マルチピース電子デバイス筐体の第２部材を上記第１部材に操作可能に接続する工程であって、上記第２部材の上記第１部分は、上記ＲＦエネルギーを減衰させる少なくとも１層の伝導性材料を含む、工程を有してよい。
【００６２】
例１３は例１２の要素を含んでよく、上記マルチピース電子デバイス筐体の第２部材を上記第１部材に操作可能に接続する上記工程であって、上記第２部材の上記第１部分は、上記ＲＦエネルギーを減衰させる少なくとも１層の伝導性材料を含む、上記工程は、上記マルチピース電子デバイス筐体の第２部材を上記第１部材に操作可能に接続する工程であって、上記第２部材の上記第１部分は少なくとも１つのディスプレイタッチモジュール（ＤＴＭ）を含んでよい。
【００６３】
例１４は例１３の要素を含んでよく、少なくとも１つの伝導性部材を介して上記第２部材の上記第２部分を上記送信機／受信機に伝導接続する上記工程は、上記第１部材と上記第２部材との間に配された伝導性遮蔽部材を介して上記第２部材の上記第２部分を上記送信機／受信機に伝導接続する工程であって、上記伝導性遮蔽部材は、上記第２部材の上記第２部分に導電接続し、導電性部材が上記伝導性遮蔽部材を上記送信機／受信機に伝導接続する、工程を有してよい。
【００６４】
例１５は例１４の要素を含んでよく、上記第１部材と上記第２部材との間に配された伝導性遮蔽部材を介して上記第２部材の上記第２部分を上記送信機／受信機に伝導接続する上記工程は、上記ディスプレイタッチモジュールと上記送信機／受信機との間に配された伝導性遮蔽部材を介して上記第２部材の上記第２部分を上記送信機／受信機に伝導接続する工程を含んでよい。
【００６５】
例１６は例１５の要素を含んでよく、方法は追加的に、上記ディスプレイタッチモジュールと上記伝導性遮蔽部材との間に近距離無線通信（ＮＦＣ）アンテナを配する工程を含んでよい。
【００６６】
例１７は例１４の要素を含んでよく、送信機／受信機を、ウェアラブルマルチピース電子デバイス筐体の第１部材の中に少なくとも部分的に配する上記工程は、少なくとも１つの周波数ダイプレクサを含む送信機／受信機を、上記送信機／受信機を収納する上記ウェアラブルマルチピース電子デバイスの上記第１部材の中に少なくとも部分的に配する工程を有してよい。
【００６７】
例１８は例１１から１７のいずれかの要素を含んでよく、送信機／受信機を、ウェアラブルマルチピース電子デバイス筐体の第１部材の中に少なくとも部分的に配する上記工程は、上記送信機／受信機を、腕時計の上記第１部材の中に少なくとも部分的に配する工程であって、上記第１部材は、上記腕時計の外部カバーの少なくとも一部分を含み、上記第２部材は、上記腕時計のベゼルの少なくとも一部分を含む、工程を有してよい。
【００６８】
例１９は例１１から１７のいずれかの要素を含んでよく、ギャップを介して少なくとも上記第２部材の上記第２部分を上記第１部材から隔離する上記工程は、ギャップを介して少なくとも上記第２部材の上記第２部分を上記第１部材から隔離する工程であって、上記第１部材と上記第２部材の上記第２部分との間を上記ギャップが隔離する距離は、約０．５ミリメートル（ｍｍ）から約１ｍｍである、工程を有してよい。
【００６９】
例２０は例１１から１６のいずれかの要素を含んでよく、送信機／受信機を、ウェアラブルマルチピース電子デバイス筐体の第１部材の中に少なくとも部分的に配する上記工程は、トランシーバを、上記ウェアラブルマルチピース電子デバイス筐体の上記第１部材の中に少なくとも部分的に配する工程を有してよく、
上記マルチピース電子デバイス筐体の上記第２部材を上記第１部材に操作可能に接続する上記工程であって、上記第２部材は導電性材料を含む第２部分を含む、上記工程は、上記マルチピース電子デバイス筐体の上記第２部材を上記第１部材に操作可能に接続する工程であって、上記第２部材は、全地球ナビゲーション衛星システム（ＧＮＳＳ）トランシーバと、ＢＬＵＥＴＯＯＴＨ（登録商標）トランシーバと、ＩＥＥＥ  ８０２．１１準拠（Ｗｉ−Ｆｉ）のトランシーバとのうち少なくとも１つでの利用に合わせて調整されたシングルバンドアンテナを含む第２部分を含む、工程を有してよい。
【００７０】
例２１によれば、ウェアラブル電子デバイスを用いた無線周波数（ＲＦ）信号伝送システムが提供される。システムは、
送信機／受信機を、ウェアラブルマルチピース電子デバイス筐体の第１部材の中に少なくとも部分的に配する手段と、
上記マルチピース電子デバイス筐体の第２部材を上記第１部材に操作可能に接続する手段であって、上記第２部材は上記第１部材から電気分離し、上記第２部材は少なくとも、無線周波数エネルギーを減衰させる材料を含む第１部分と、導電性材料を含む第２部分とを含む、手段と、
ギャップを介して少なくとも上記第２部材の上記第２部分を上記第１部材から隔離する手段と、
少なくとも１つの伝導性部材を介して上記第２部材の上記第２部分を上記送信機／受信機に伝導接続する手段と
を含んでよい。
【００７１】
例２２は例２１の要素を含んでよく、上記マルチピース電子デバイス筐体の第２部材を上記第１部材に操作可能に接続する上記手段であって、上記第２部材は少なくとも、ＲＦエネルギーを減衰させる材料を含む第１部分を含む、上記手段は、上記マルチピース電子デバイス筐体の第２部材を上記第１部材に操作可能に接続する手段であって、上記第２部材の上記第１部分は、上記ＲＦエネルギーを減衰させる少なくとも１層の伝導性材料を含む、手段を有してよい。
【００７２】
例２３は例２２の要素を含んでよく、上記マルチピース電子デバイス筐体の第２部材を上記第１部材に操作可能に接続する上記手段であって、上記第２部材の上記第１部分は、上記ＲＦエネルギーを減衰させる少なくとも１層の伝導性材料を含む、上記手段は、上記マルチピース電子デバイス筐体の上記第２部材を上記第１部材に操作可能に接続する手段であって、上記第２部材の上記第１部分は少なくとも１つのディスプレイタッチモジュール（ＤＴＭ）を含んでよい。
【００７３】
例２４は例２３の要素を含んでよく、少なくとも１つの伝導性部材を介して上記第２部材の上記第２部分を上記送信機／受信機に伝導接続する上記手段は、上記第１部材と上記第２部材との間に少なくとも部分的に配された伝導性遮蔽部材を介して上記第２部材の上記第２部分を上記送信機／受信機に伝導接続する手段であって、上記伝導性遮蔽部材は、上記第２部材の上記第２部分に導電接続する、手段と、上記伝導性遮蔽部材を上記送信機／受信機に伝導接続する導電性部材手段とを有してよい。
【００７４】
例２５は例２４の要素を含んでよく、上記第１部材と上記第２部材との間に配された伝導性遮蔽部材を介して上記第２部材の上記第２部分を上記送信機／受信機に伝導接続する上記手段は、上記ディスプレイタッチモジュールと上記送信機／受信機との間に少なくとも部分的に配された伝導性遮蔽部材を介して上記第２部材の上記第２部分を上記送信機／受信機に伝導接続する手段を含んでよい。
【００７５】
例２６は例２５の要素を含んでよく、上記ディスプレイタッチモジュールと上記伝導性遮蔽部材との間に近距離無線通信（ＮＦＣ）アンテナを配する手段を追加的に含んでよい。
【００７６】
例２７は例２４の要素を含んでよく、送信機／受信機を、ウェアラブルマルチピース電子デバイス筐体の第１部材の中に少なくとも部分的に配する上記手段は、少なくとも１つの周波数ダイプレクサを含む送信機／受信機を、上記送信機／受信機を収納する上記ウェアラブルマルチピース電子デバイスの上記第１部材の中に少なくとも部分的に配する手段を有してよい。
【００７７】
例２８は例２１から２７のいずれかの要素を含んでよく、送信機／受信機を、ウェアラブルマルチピース電子デバイス筐体の第１部材の中に少なくとも部分的に配する上記手段は、上記送信機／受信機を、腕時計の上記第１部材の中に少なくとも部分的に配する手段であって、上記第１部材は、上記腕時計の外部カバーの少なくとも一部分を含み、上記第２部材は、上記腕時計のベゼルの少なくとも一部分を含む、手段を有してよい。
【００７８】
例２９は例２１から２７のいずれかの要素を含んでよく、ギャップを介して少なくとも上記第２部材の上記第２部分を上記第１部材から隔離する上記手段は、ギャップを介して少なくとも上記第２部材の上記第２部分を上記第１部材から隔離する手段であって、上記第１部材と上記第２部材の上記第２部分との間を上記ギャップが隔離する距離は、約０．５ミリメートル（ｍｍ）から約１ｍｍである、手段を有してよい。
【００７９】
例３０は例２１から２６のいずれかの要素を含んでよく、送信機／受信機を、ウェアラブルマルチピース電子デバイス筐体の第１部材の中に少なくとも部分的に配する上記手段は、トランシーバを、上記ウェアラブルマルチピース電子デバイス筐体の上記第１部材の中に少なくとも部分的に配する手段を有してよく、
上記マルチピース電子デバイス筐体の上記第２部材を上記第１部材に操作可能に接続する上記手段であって、上記第２部材は導電性材料を含む第２部分を含む、上記手段は、上記マルチピース電子デバイス筐体の上記第２部材を上記第１部材に操作可能に接続する手段であって、上記第２部材は、全地球ナビゲーション衛星システム（ＧＮＳＳ）トランシーバと、ＢＬＵＥＴＯＯＴＨ（登録商標）トランシーバと、ＩＥＥＥ  ８０２．１１準拠（Ｗｉ−Ｆｉ）のトランシーバとのうち少なくとも１つでの利用に合わせて調整されたシングルバンドアンテナを含む第２部分を含む、手段を有してよい。
【００８０】
例３１は例２１から２６のいずれかの要素を含んでよく、少なくとも１つの伝導性部材を介して上記第２部材の上記第２部分を上記送信機へ伝導接続する上記手段は、上記第２部材の上記第２部分の第１セグメントを上記送信機に伝導接続して第１周波数帯域のＲＦ信号を送信／受信する手段と、上記第２部材の上記第２部分の第２セグメントを送信機に伝導接続して上記第１周波数帯域とは異なる第２周波数帯域のＲＦ信号を送信／受信する手段とを有してよい。本明細書において採用されてきた用語および表現は、限定ではなく説明の用語として用いられており、そのような用語および表現の使用において、示されている、および説明されている特徴（またはそれらの一部分）の何らかの等価物を排除することは全く意図されておらず、請求項の範囲内で様々な変更が可能であることが理解される。したがって、請求項はそのような等価物の全てを網羅するよう意図されている。
【図１】
2019525503.tif 000003
【図２】
2019525503.tif 000004
【図３】
2019525503.tif 000005
【図４】
2019525503.tif 000006
【図５Ａ】
2019525503.tif 000007
【図５Ｂ】
2019525503.tif 000008
【図６】
2019525503.tif 000009
【図７】
2019525503.tif 000010
【国際調査報告】
2019525503.tif 000011
2019525503.tif 000012